(57)【要約】【課題】  足形にフィットして履き心地が良く足に無理な力が作用しないとともに、踵や爪先部に図柄を編み込める靴下を提供する。【解決手段】  筒編み領域である脚部２に続いて脚部後半部の略半周程度に、目数減少領域４と短筒編み領域７及び目数増加領域８を編み込み、続けて筒編み領域である足部３を編み立て、踵部４を形成する。足部３の先端部分において、足裏部3aに続いて目数減少領域９と、短筒編み領域10及び目数増加領域11を編み込み、その先端を甲部3bに続く短筒編み領域10の開放端に縫製その他の方法によって接合させて爪先部５を形成する。これにより、踵部においてはゆったりとした立体的な形状である踵部４を形成することが出来、爪先部５においては短筒編み領域10が高さ方向の構造として機能し、足指に無理な力が作用しない立体的な靴下構造を実現し、短筒編み領域７や10に図柄17を施すことができる。【選択図】  図１
2005307370.tif 000002
【特許請求の範囲】
【請求項１】
筒状に編み立てる筒編み領域の一定角度範囲に続けて、目数減少領域と該目数減少領域に対応する目数増加領域を編み込むことによってカーブ部分や細径部分を形成する靴下において、目数減少領域に続けて短寸法の筒編み領域である短筒編み領域を編み込み、該短筒編み領域に続けて前記目数減少領域に対応する目数増加領域を編み込むことを特徴とする靴下。
【請求項２】
筒編み領域である脚部に続いて、脚部後半部の略半周程度に目数減少領域と、該目数減少領域に続いて短筒編み領域及び該短筒編み領域に続いて前記目数減少領域に対応する目数増加領域を編み込み、該目数増加領域に続けて筒状の足部を編み立てることによって踵部を形成することを特徴とする請求項１記載の靴下。
【請求項３】
筒編み領域である足部の先端部分において、足裏部に続いて目数減少領域と、該目数減少領域に続いて短筒編み領域及び短筒編み領域に続いて前記目数減少領域に対応する目数増加領域を編み込み、該目数増加領域の先端を甲部先端である短筒編み領域の開口縁に接合させて爪先部を形成することを特徴とする請求項１又は２記載の靴下。
【請求項４】
筒編み領域である脚部上端の履き口後半部に、目数減少領域と該目数減少領域に続いて短筒編み領域及び短筒編み領域に続いて目数増加領域を編み込み、短筒編み領域よりも上方部分を内方に折り返して履き口舌片を形成することを特徴とする請求項１ないし３のいずれかに記載の靴下。
【発明の詳細な説明】
【技術分野】
【０００１】
この発明は、筒状に編み立て編目の増減によって踵や爪先を形成する靴下の構造に関する発明である。
【背景技術】
【０００２】
図９に示すように、従来の靴下１の一般的な構造は、筒状に形成する筒編み領域である脚部２の下端後半部に目数減少領域６と、目数増加領域８を配置することによって踵部４を形成し、踵部４を形成した上で筒状の足部３を編み立てている。また、爪先部５は筒編み領域である足部３の先端において、足裏側に目数減少領域９と目数増加領域11を形成し、目数増加領域11を折り返してその先端を足部先端の甲側先端に縫着することによって先細の爪先部５を形成している。この従来の一般的な靴下は左右対称であって、左右の区別がなされていないため、履いたときに足先の親指や小指に圧迫感を感じるとともに、靴下も痛み易い欠点がある。この欠点を解消するため、靴下を足の形に一致する非対称形に形成する思想が特許文献１や特許文献２に記載されている。また、筒編み領域である脚部上端の履き口後半部を上方に突出させて履き口舌片を形成する靴下が特許文献３に開示されている。
【特許文献１】特許第２８９５４７３号公報
【特許文献２】特開平１１−１８４９号公報
【特許文献３】特開２００１−３０３４０４号公報
【発明の開示】
【発明が解決しようとする課題】
【０００３】
特許文献１や２に開示されている靴下は、平面的な足の形に対応させて靴下の平面形状を変更するものであるため、平面的な足の形に形成されているとはいうものの、足の厚みによって爪先部に無理な引っ張り力が作用することに変りがない。また、踵部分においても、立体的な踵形状に必ずしもフィットするものではない。このような従来技術の欠点に鑑み、本発明はより立体的な足の形にフィットする履き心地の良い、あるいは足に無理な力が作用しない靴下を提供することを目的とするものである。
【０００４】
また、円筒状の針釜を回転させて筒状に編み立てる一般的な筒編み機では、針釜を一定方向に回転させる筒編み領域には各種の柄を編み込むことができるが、針釜を一定の範囲で往復回動させる編目減少領域や編目増加領域においては、図柄を編み込むのが困難であるため踵や爪先部には図柄を入れていないのが普通であった。本発明の別の目的は、このような、従来柄を編み込んでいない部分に柄を編み込んだ、斬新な意匠の靴下を提供することである。
【課題を解決するための手段】
【０００５】
本発明は、上記目的を達成するため、靴下１の筒編み領域の一定角度範囲に、目数減少領域と該目数減少領域に対応する目数増加領域を編み込むことによってカーブ部分や細径部分を形成する靴下において、目数減少領域に続けて短寸法の短筒編み領域を編み込み、短筒編み領域に続けて前記目数減少領域に対応する目数増加領域を編み込む。
【０００６】
具体的には、筒編み領域である脚部２に続いて、脚部２後半部の略半周程度に目数減少領域６と、目数減少領域６に続いて短い寸法の短筒編み領域７及び短筒編み領域７に続いて前記目数減少領域６に対応する目数増加領域８を編み込み、目数増加領域８に続けて筒編み領域である足部３を編み立てることによって踵部４を形成する。
【０００７】
また、爪先部５の構造として、筒編み領域である足部３の先端部分において、足裏部3aに続いて目数減少領域９と、目数減少領域９に続いて短筒編み領域10及び短筒編み領域10に続いて前記目数減少領域９に対応する目数増加領域11を編み込む。そして、この目数増加領域11の先端を、甲部3bの先端である短筒編み領域10の開口縁に接合させることによって爪先部５を形成する。
別の応用部分として、筒編み領域である脚部２上端の履き口12後半部に、目数減少領域13と、この目数減少領域13に続いて短筒編み領域14及び短筒編み領域14に続いて目数増加領域15を形成し、短筒編み領域14よりも上方部分に位置する部分を内方に折り返して履き口舌片16を形成する。
【発明の効果】
【０００８】
請求項１ないし３記載の本発明靴下によれば、目数減少領域と目数増加領域の間に、短筒編み領域を編み込むことによって従来とは異なる立体的な靴下構造を実現することができる。そして、短筒編み領域は、筒編み機によって円筒状の針釜を回転させることによって編み立てるため、従来は図柄を編み込むことが困難であった踵部４や爪先部５といった部分に、自由に図柄を編み込むことができる。
【０００９】
請求項２記載の発明では、目数減少領域６と目数増加領域８の間に短筒編み領域７を編み込むことによってゆったりとした立体的な形状である踵部４を形成することが出来るとともに、短筒編み部７に図柄17を編み込むことによって、踵部４に図柄を配置することができる。
請求項３記載の発明では、足部３の先端に形成する爪先部５における目数減少領域９と目数増加領域11の間に位置する短筒編み領域10が高さ方向の構造として機能し、立体的な厚みのある靴下構造を実現することができ、足指に圧迫感といった負担の掛からない靴下を実現することができる。このことは、靴下そのものに負担が掛からず、足指部分の破れを防止することにもなる。請求項３記載の発明では、履き口12の後半部に折り返しによってしっかりとした履き口舌片16を形成し、かつ履き口舌片16の一部に図柄を配置することができる効果を有するものである。
【発明を実施するための最良の形態】
【００１０】
以下、本発明に係る靴下の好ましい実施形態を添付の図面に基づいて説明する。
図１及び図２は、それぞれ本発明の実施形態を示す靴下の側面図、図３は爪先部の展開図、図４は踵部の展開図である。
【００１１】
図１に示す実施形態の靴下１は、筒状に形成される脚部２下端後半部の略半周の範囲に目数減少領域６を編み込み、ある程度目数が減少したところで例えば１センチメートル程度の短筒編み領域７を編み込む。短筒編み領域７に続けて、目数減少領域６と対応する目数増加領域８を編み込み、一定の編目増加領域８を形成した後、筒状である足部３を編み立てる。
【００１２】
足部３を筒状に編み立てた後、先端部分には筒状の半分である足裏部3aの範囲で目数減少領域９を編み立て、続いて例えば１センチメートル程度の短筒編み領域10及び目数減少領域９に対応する目数増加領域11を形成する。目数増加領域11は、最終的に筒状である足部全周の半分まで目数が増加した状態とし、縫着部分の縫い代を形成して編み立てを完了し、目数増加領域11の先端を開放状態にある甲部3bの先端、すなわち、短筒編み領域10の甲側の先端部分に縫着することによって爪先部５を完成させる。
【００１３】
一般的な靴下の製造方法としては、外周部分に、編み針が配置される多数の溝を形成した、円筒状の針釜を備えた筒編み機によって編み立てられる。そして、針釜が一定方向に回転しながら編み立て、全ての編み針が編み立てに寄与することによって筒状部分が編み立てられる。一方、針釜を一定角度の範囲を往復回動させ、一部の編み針を編み立てに関与させることによって、細幅の突出部分や目数減少領域、あるいは目数増加領域を編み立てることができるものである。
【００１４】
図１に示す実施形態の靴下の踵部４を編み立てるには、履き口12から針釜を一定方向に回転させ、全ての編み針(編み方や模様によって編み針の動きは一定であるとは限らない)を編み立てに関与させることによって筒編み領域である脚部２を編み立てる。一定寸法の脚部を編みたて、脚部２の下端に達した段階で、針釜の回転運動を一定角度の往復回動運動に変更する。例えば針釜の回動角度を、略１８０度から９０度程度の範囲で順次減少させ、その範囲の編み針が編み立てに関与する状態で目数減少領域６を編み立てる。続いて、１センチメートル程度の間、針釜を一定方向に回転さ、全ての編み針を編み立てに関与させることによって短筒編み領域７を編み立てる。短筒編み領域７の編み立てが完了した段階で、針釜の回転運動を一定角度の往復回動運動に変更し、前記目数減少領域６の場合とは逆に、針釜の回動角度を９０度程度から１８０度の範囲に増加するように設定し、その範囲の編み針を編み立てに関与させることによって、目数増加領域８を編み立てる。目数増加領域８の編み立てが完了した段階で、針釜を回転運動に変更し、全ての編み針を編み立てに関与させることによって、筒編み領域である足部３の編み立てに移行させる。針釜の回動範囲は、前記１８０度から９０度の範囲に限られるものではなく、目数増加領域及び目数減少領域の形状を変更することによって、異なった踵形状を形成することができる。
【００１５】
図４においては、脚部２の下端縁や目数減少領域６の側縁と短筒編み領域７、短筒編み領域７と目数増加領域８の側縁や足部３の上端縁が分離した状態に記載しているが、針釜が往復回動をする目数減少領域６や目数増加領域８の編み立ての際に、編み立てに関与しない編み針は単に休止しているだけであって、短筒編み領域７の上縁は脚部２及び目数減少領域６に連続し、短筒編み領域７の下縁は足部３及び目数増加領域８に連続することによって、踵部４を備えて脚部２と足部３が連続する筒状に編み立てられるものである。
【００１６】
図１および図４に示す実施形態の踵部構造を備えた靴下では、踵部４の丸みが強調される結果、より足の形状に近い立体的な靴下形状を実現することができる。この場合、目数減少領域６及び目数増加領域８の具体的な形状、及び短筒編み領域７の寸法を変更するこつによって異なった踵形状を作り出すことができる。踵部分に短筒編み領域７を配置することのもう一つの効果は、従来の筒編み機を利用して、図柄17を編み込むことができなかった踵部４に、図柄17を編み込むことができ、従来にない斬新な意匠の靴下を実現できる点にある。これにより、例えばサンダルを履く場合に、後方から見える踵部分にワンポイントなどの図柄を編み込むことができる。
【００１７】
筒編み領域である足部３の一定寸法の編み立てが進行した時点で、爪先部５の編み立てを行なう。爪先部５の編み立ては、図３に示すように足部３、具体的には足裏部3aに連続する態様で目数減少領域９を編み立て、続いて短寸法の短筒編み領域10を、続いて目数増加領域11を編み立て、縫着部分の縫い代を形成して編み立てを完了する。この状態では、足部３の甲部3b前端は、短筒編み領域であって開放された状態にある。そこで、前記目数増加領域11の先端縁を、甲部3bに続く短筒編み領域10の開放端に縫製その他の方法によって接合すると、図５に示すように先細であって、閉塞された爪先部５が完成する。
【００１８】
本発明に係る靴下の上記爪先部５に形成される短筒編み領域10の足裏側は、図６に示すように靴下の先端に位置し、装着したときに足指の厚み方向の構造として、短筒編み領域10の甲側は足部３の甲構造の一部として、それぞれ機能する。すなわち、靴下を履いたときに足指の厚み構造が、短筒編み領域10によって確保され、従来の靴下のように爪先を圧迫されることなく装着することができる。短筒編み領域10には全周の任意の部分に図柄17を編み込むことができる。そして、足裏部3aに接している部分に図柄を編み込む場合は、この図柄が靴下の前端面に現れ、甲部3bに接する部分に図柄を編み込む場合は、爪先部５の上面に現れることになる。いずれにしても、従来装飾的な図柄を編み込むことが出来なかった部分に図柄を施すことが可能となる。
【００１９】
図示実施形態の爪先部５は、左右対称であって左足用、右足用の区別をしないものであるが、目数減少領域９及び目数増加領域11の目数操作などによって右足用、左足用の区別を行なうこともできる。この場合は、短筒編み領域10に右足用の図柄と左足用の図柄を区別して編み込むことができる。針釜の回動範囲は、前記１８０度から９０度の範囲に限られるものではなく、目数増加領域及び目数減少領域の形状を変更することによって、任意の爪先形状を形成することができる。さらに、目数減少領域は、足部３の甲部3b先端に連続させて形成し、図示実施形態とは逆に足裏部3a先端に縫着するものであってもよい。
【００２０】
本発明に係る靴下の構造は、図１に示すように踵部４及び爪先部５の双方に形成することができるが、いずれか一方、例えば図２に示すように爪先部５にのみ利用することができる。また、踵部４や爪先部５以外に、図７、図８に示すように履き口12部分の構造としても応用することができる。この場合、図８に示すように履き口の開口縁を形成する筒編み領域18に続いて目数減少領域13を編み立て、目数減少領域13に続いて短筒編み領域14を、短筒編み領域14に続いて目数増加領域15を編み立てる。そして、短筒編み領域14よりも上方の部分を内方に折り返すことによって、履き口舌片16を形成することができる。内方に折り返す、短筒編み領域14よりも上方の部分は、履くときに折り返して装着する他、予め縫着しておくこともできる。また、図８に示す筒編み領域18と脚部２の上端部分が繋がった状態で編み立てることもできるが、履き口の具体的な形状や構造は、デザインや用途によって適宜変更することが可能である。
【００２１】
履き口舌片は18、例えば高齢者や障害者などが靴下を履く場合の助けとなるように機能させる外、脚部の短い、あるいは脚部のないソックスに応用すると、靴の背部から履き口舌片16が突出し、該履き口舌片の上端が短筒編み領域14で形成されるため、短筒編み領域14に任意の図柄17を編み込むことによって、例えば若い女性や子供に喜ばれる、ファッション性豊かなソックスを実現することができる。
【図面の簡単な説明】
【００２２】
【図１】図１は、本発明に靴下の実施形態の一例を示す側面図、
【図２】図２は、本発明の別の実施形態を示す靴下の側面図、
【図３】図３は、図１及び図２に示す実施形態の爪先部分の展開図、
【図４】図４は、図１に示す実施形態の踵部分の展開図、
【図５】図５は、図１及び図２に示す実施形態の爪先部分のみの平面図、
【図６】図６は、図５の中央縦断面図、
【図７】図７は、本発明を履き口部分に応用した実施形態を示す、履き口部分のみの側面図、
【図８】図８は、図７に示す履き口部分の展開図、
【図９】図９は、従来の靴下の一例を示す側面図。
【符号の説明】
【００２３】
１…靴下、  ２…脚部、  ３…足部、  3a…足裏部、  3b…甲部、  ４…踵部、  ５…爪先部、  ６，９，13…目数減少領域、  ７，10，14…短筒編み領域、  ８，11，15…目数増加領域、  12…履き口、  16…履き口舌片、  17…図柄、  18…筒編み領域。
【図１】
2005307370.tif 000003
【図２】
2005307370.tif 000004
【図３】
2005307370.tif 000005
【図４】
2005307370.tif 000006
【図５】
2005307370.tif 000007
【図６】
2005307370.tif 000008
【図７】
2005307370.tif 000009
【図８】
2005307370.tif 000010
【図９】
2005307370.tif 000011